(57)【特許請求の範囲】
【請求項１】
３本の脚部および前記脚部を連結するヨーク部を有し、前記３本の脚部の断面が同一であり、かつ四角形より多い稜を有する正多角形である変圧器の磁心であって、
前記磁心が一定幅のストリップを巻きつけたリングのみより形成され、前記リングの各々が前記脚部のうちの２本の部分を形成することを特徴とする変圧器の磁心。
【請求項２】
前記脚部が六角形の断面を備えることを特徴とする請求項１に記載の変圧器の磁心。
【請求項３】
９つのリングを有することを特徴とする請求項２に記載の変圧器の磁心。
【請求項４】
第１の幅と第１の高さとを有する３つのリングおよび第１幅の半分である第２の幅と第１の高さの半分である第２の高さとを備える６つのリングを備えることを特徴とする請求項３に記載の変圧器の磁心。
【請求項５】
７つのリングを有することを特徴とする請求項２に記載の変圧器の磁心。
【請求項６】
第１の幅と第１の高さのストリップが巻かれ、２つの角が６０度の菱形断面を有する第１（２２ａ）、第２（２３ａ）および第３（２４ａ）リングを備え、同第１、第２、第３リングが共に、三角形を形成するヨーク部を形成する変圧器の磁心であって、
第１の幅と第１の高さの概ね半分の第２の高さとを有するストリップが巻かれた第４リング（２４ｂ）と、前記第４リングは菱形の断面を有すると共に、前記第３リング（２４ａ）上に配置されることと、
第１の幅の概ね半分である第２の幅と前記第１の高さとを有するストリップが巻かれた第５リング（２２ｂ）と、前記第５リングは菱形の断面を有すると共に、前記第１リング（２２ａ）の上に配置されることと、
第２の幅と第２の高さとを有するストリップが巻かれた第６リング（２３ｂ）と、前記第６リングは菱形の断面を有すると共に、前記第２リング（２３ａ）の上に配置されることと、
第２の幅と第２の高さとを有するストリップが巻かれた第７リング（２３ｃ）と、前記第７リングは、菱形の断面を有すると共に、前記第２リング（２３ａ）および第６リング（２３ｂ）の上に配置されることと、
を有し、それによって六角形断面を有する３本の脚部を備えた三相変圧器の磁心が形成されることを特徴とする請求項５に記載の変圧器の磁心。
【請求項７】
前記脚部が八角形断面を有することを特徴とする請求項１に基づいた変圧器の磁心。
【請求項８】
前記脚部が十角形の断面を有することを特徴とする、請求項１に記載の変圧器の磁心。
【請求項９】
すべてのリングが、６０度の角度が２つ、１２０度の角度が２つの菱形断面を有することを特徴とする請求項１に記載の変圧器の磁心。
【請求項１０】
巻き線の間にストリップを巻いた磁心７０を追加し、磁心の上部と下部でストリップが結合していることを特徴とする請求項１に記載の変圧器の磁心。
【発明の詳細な説明】
【０００１】
（発明の属する技術分野）
本発明は、一般に変圧器の磁心に関するものであり、特に規則的な多角形の脚部を有する三相および単相の磁心に関するものである。
【０００２】
（背景）
三相変圧器用磁心は、通常小型変圧器用にはＥＩ型に形成され、大型変圧器用には端部と端部がしっかり取り付けられた長方形に切断された変圧器用のプレートによって形成され、そのいる。これらの変圧器においては、磁場が端部を通ってプレートからプレートへ通過し、磁場が不必要に長い距離を移動しなければならず、しかも必ずしも磁場が磁気の方向に沿っていないという欠点がある。
【０００３】
変圧器用磁心の設計者は、最終的に仕上がる変圧器の効率を最適にする形状である、本質的に円形断面を有する脚部を得るために尽力している。しかし効率性と生産需要量の間にはつねに生じる矛盾があるため、非円形脚部を有する最適ではない変圧器の磁心が製造される結果に至っている。
【０００４】
これまでは、三相変圧器用のストリップ状磁心の製造は困難であった。磁心の効率性は、単相変圧器では円形断面、三相変圧器では半円形断面が形成されるように、ストリップの幅を変えて切断し、リング状に巻きつけることによって、高めることができる。この方法では大量の廃棄物が発生し、巻きつけ作業も時間を要するものである。
【０００５】
米国特許４，５５７，０３９（マンデルソン）は、ほぼ線状のテーパを有する電気鋼製ストリップを用いて変圧器磁心を製造する方法を開示している。適切なテーパを選択することによって、磁心の脚部の断面は、六角形あるいは円形断面を近似する六角形よりも高位の多角形に形成される。しかし、テーパ状ストリップの製造は困難で時間を要するものであり、その形状は大規模な製造に適するものではない。
【０００６】
図１ａ−ｃはマンデルソンによる従来の三相変圧器の磁心を示すものであり、その全体を符号１０として示す。磁心は、図１の等角図が示すように、総体的にはデルタ形で、３つの脚部がヨーク部によって相互連結している。図１ａは、最終組立て前の、磁心の断面図を示している。磁心は３つの同一のリング状部１２、１３および１４を備え、その全体形状は、図１に示されている。各リング状部は、六角形の断面を備えた２つの脚部の半分を満たしており（図１ａ参照）、従って合わせて三相変圧器の３つの脚部を形成する。リング状部には、初めに一定幅のストリップを用いて、２つの角が６０度、残り２つの角が１２０度の菱形状断面を有する３つの同一のリング１２ａ、１３ａ、１４ａを巻きつける。これらのリング１２ａ、１３ａ、１４ａが基本リングとなる。ストリップの方向もまた図１ａおよび１ｂに示されている。
【０００７】
各リング状部の基本リングの外側には、正三角形の断面を有する外側リング１２ｂ、１３ｂ、１４ｂが位置する。外側リングには幅が一定に減少するストリップが巻きつけられている。
【０００８】
３つのリング状部１２−１４を合わせると（図１ｂ参照）、変圧器の巻き線を巻いた３つの六角形の脚部が形成される。
この解決手段における欠点は、変圧器の大きさが異なる毎に、それに合わせたストリップの切断をしなくてはならない点である。また、外側リング１２ｂ−１４ｂは徐々に細くなるストリップから形成されているため、廃棄物質のもととなり、マンデルソン型の変圧器の製造を困難とする原因でもある。
【０００９】
変圧器の磁心については以下の文書にも記述されている。
スウェーデン特許第１６３７９７号、米国特許第２，４５３，１１２号、米国２，４９８，７４７号、米国特許第２，４００，１８４号、米国特許第２，５４４，８７１号。
【００１０】
しかし、これらの文書に記載されている磁心は前述の問題を克服してはいない。
（発明の目的）
本発明の目的は、エネルギーの損失を最小限に抑える変圧器の磁心を提供することである。別の目的は、製造が容易で廃棄物質の排出を抑えた変圧器の磁心を提供することである。別の目的は、大型製品にも充分に適合する変圧器の製造方法を提供することである。
【００１１】
（発明の概要）
本発明は、１つまたは複数の４角形以上の正多角脚部を有する変圧器の磁心に、一定幅のストリップを巻きつけることの実現化に基づくものである。
本発明は、少なくとも１つの脚部および少なくとも１つのヨーク部を有し、前記少なくとも１つの脚部の断面が４角形以上の正多角形である変圧器の磁心において、同磁心は一定幅のストリップを巻きつけたリング部から形成されることを特徴とする変圧器の磁針を提供している。
【００１２】
さらに好ましい実施形態は、従属請求項に定義されている。
（発明の詳細な説明）
本発明の三相変圧器用磁心の好ましい実施形態について、以下に詳述する。
図１については、従来技術に関連してすでに記述されているため、さらに説明を加えない。
図２は、本発明の三相変圧器磁心を示すものであり、その全体を符号２０として示す。その全体の形は、図１に示した略デルタ型である従来技術の変圧器用磁心に類似するが、それとは全く異なった方法で設計される。
【００１３】
磁心は、それぞれがいくつかのリングを備えた３つのリング状部２２、２３、および２４によって形成されている。リングの幅は幅広と幅狭の２種類があり、幅狭リングは幅広リングの半分の幅のストリップにより形成されている。また、同リングの高さも、高、低の２種類があり、低いリングの高さは高いリングの半分の高さである。特記のない限り、この定義は詳細な説明を通じて使用される。ストリップは好ましくは変圧用プレートから作られている。
【００１４】
各リング状部２２−２４は、図１に関して記載したリング状部と同様に、各々幅広の高い基本リング２２ａ−２４ａを有する。従って、これらのリング一対によって、六角形脚部における４つの側面が形成される。残りの脚部の菱形面は、異なる方法で形成される（図２ａおよび２ｂ参照）。
【００１５】
背後にある第１の脚部２５においては、２つの長斜方形によって更なる菱形断面が形成されている。１つめの長斜方形は、符号２４ｂとして示すと共にリング部分２４に属し、幅広の低いリングである。２つめの長斜方形は、符号２２ｂとして示すと共にリング部分２２に属し、幅狭の高いリングである。
【００１６】
図２右側の第２の脚部２６に関しては、１つの長斜方形と２つの菱形から、更なる菱形断面が形成されている。長斜方形はリング状部２２に属する幅狭の高いリング２２ｂで満たされている。また、２つの菱形はリング状部２３に属する２つの幅狭の低いリング２３ｂおよび２３ｃによって満たされている。
【００１７】
図２左側の第３の脚部２７に関しては、同様に１つの長斜方形と２つの菱形から、更なる菱形断面が形成されている。長斜方形は、リング状部２４に属する幅広の低いリング２４ｂによって満たされている。２つの菱形は、リング状部２３に属する２つの幅狭の低いリング２３ｂおよび２３ｃによって満たされている。リング状部２３が１つの大きいリングではなく、２つの小さいリングを備えているのは、大きいリングの場合、左脚部２７に必要とされるように幅狭で高いことと、右脚部２６に必要とされるように幅広で低いことをどちらも満たすことはできないためである。それゆえに２つの幅狭の低いリングが用いられている。
【００１８】
脚部２５−２７を連結しているすべての上部および下部ヨークの形状は異なるが、すべて大型の菱形断面を有する基本リング１つに、長斜方形断面を有するリング１つもしくは小型の菱形断面を有するリング２つを合わせて形成される。これによってすべてのヨークの全体的な断面が同一になる。
【００１９】
基本リングの外側の菱形空間部分は、いくつかの基本的原則に基づいて満たされ得る。ここで、図３ａおよび３ｂに関して第２実施形態を説明する。全体を符号３０として示す磁心は、上述の第１実施形態と、同じ全体形状を有している。しかし、この実施形態において、磁心は同一のリング状部３２−３４を備えている。このうち、最も右側の３２について記述する。リング状部３２−３４は、図２に示したリング状部２３に類似する。第１の脚部３５において、リング状部３２は２つの幅狭の低いリング３２ｂおよび３２ｃを有し、３２ｃはリング３２ｂの外側に巻かれる。第２の脚部３６においては、リング３２は２つのリング３２ｂおよび３２ｃを有し、それぞれが隣あわせに配置されている（図３ａ参照）。
【００２０】
他２つのリング状部３３および３４は、リング状部３２と同一のものである。従ってすべて同一の型を用いて３つのリング状部３２−３４を製造できるため、磁心の製造は、生産量には左右されるが、概して簡略化することができる。
【００２１】
さらに可能なことは、幅広の低いリングを用いて、脚部を６０度回転させ、それに合わせてヨーク部も屈曲させることである。これによってヨーク部に更なる空間が必要となり、ヨークを簡単に屈曲させることはできなくなる。幅狭の高いリングを用いて、前述のように回転させ曲げることもまた可能ではあるが困難である。複数の小さな部分を備えたリングを始めとする、更なる変形例も可能である。
【００２２】
図４および４ａに関連して、全体を符号４０として示す八角形脚部を有する磁心について説明する。八角形断面においては、例えば後ろの脚部４５において、その側面が４５度の角度をなしており、すなわち互いに１３５度の相対角度をもっている。従ってそれぞれ４５度の角度を有する３つの斜方形によって、磁心の脚部の最も内側端には空間が設けられる。これら３つの斜方形の外側には、正方形断面を有するリングによって２つの正方形が形成される。最後に、１つの菱形が脚部の八角形断面の残り部分を占めている。
【００２３】
これら６つの副断面のうち３つの副断面は、第２の脚部４６に向かう外形リングの断面を形成する。残りの３つの副断面は、第３の脚部４７に向かう外形リングの断面を形成する。第２および第３の脚部４６、４７を連結する外形リングも存在する。
【００２４】
３つの外形リングはすべて、等しい脚部を有する２つのリングを含む。第１のリング４２ａ、４３ａ、４４ａはその断面が菱形で、そのヨーク部は１５度傾斜している。第１リングの外側に位置する第２のリング４２ｂ、４３ｂ、４４ｂは、正方形で第１のリング４２ａ、４３ａ、４４ａの形状に準じている。
【００２５】
図２および３に関連して記述した六角形脚部の実施形態の解決手段を用いると、２つの外側の菱形は外側リングの断面を形成し、そのヨーク部は１５度傾斜している。また２つの内側の菱形は、内側リングを形成し６０度傾斜している。ここで次のリングは、一方の脚部に外側の菱形、他方の脚部内に内側の菱形を形成し、３０度傾斜したものでなければならない。リングを６０度傾斜させることは困難で、また外側および内側両方が菱形断面であるリングが必然的に配置されるため、外形リングは１つの種類であることが好ましい。
【００２６】
部分４２において、第３のリング４２ｃは脚部において菱形断面を形成し、後ろの脚部４５の最も外側かつ右脚部４６の内側に配置されている。これら脚部の菱形は、リングの外側ストリップを右脚部４６の位置では右側に、後ろ脚部４５の位置では左側に動かすことによって形成される。さらに、脚部は非対称的に３０度回転し、それによってヨーク部も屈曲する。同リングは他の２つのリングの外側に位置する状態になる。この最終の状態が図４に示されている。
【００２７】
全体を符号５０として示した１０面を有する脚部を図５に示している。外形リングは、すべて同数の脚部を有する４つのリングを備えている。それぞれの脚部に対して菱形断面を有する第１のリング５０ａ、第２リング５０ｂ、および第３リング５０ｃは１０面断面に接している。従って、同リングはそれぞれ３６度、７２度、１０８度の角度を持ち、ヨーク部は２４度曲がる。角度３６度の長斜方形の断面を有する第４のリング５０ｄは、主に第１リング５０ａに接して位置する。その５０ｄの脚部は外方向に２４度傾斜しており、それによってヨーク部の４８度の屈曲が生じる。また第４リングによって、第３リング５０ｃのヨーク部が大きく曲げられ、空間が設けられる。第５リング５０ｅは、第３リング５０ｃの外側に位置する場合はその脚部に対する断面が角度１４４度の菱形で、第４リング５０ｄの外側に位置する場合は角度７２度の菱形断面を有する。そのヨーク部はわずか１２度の屈曲である。図の矢印は、同２つの断面５０ｅが異なる外形リングに属していることを示している。脚部の冷却に適した溝５１も配置されている。他の実施形態では、この溝がリングで充填されている。これは、磁場をリング間に生じさせることによってリングが連動する場合に有利である。例えば、リング５０ｃの上部に新たに７２度の角度で菱形断面を配することによって空間を確保することができ、これによって溝５２ａおよび５２ｂが形成される。さらに、右リング５０ｃの部分をリング５０ｅの方向へ押すことによって、空間５３ａおよび５３ｂが形成される。
【００２８】
さらに多くの辺を有する三相変圧器用磁心の製造が可能である。図６は１２面磁心を示しており、その全体は符号６０で示される。外形リングはそれぞれ３０度、６０度、９０度、１２０度の菱形断面を有する４つのリング６０ａ−ｄによって形成されている。またそれらは、１２面の断面に接し、１５度傾斜している。これらのリングの内側には、それぞれ３０度、６０度の菱形断面を有する２つのリング６０ｅおよび６０ｆが位置し、外側に１５度傾斜している。第５，第６のリング６０ｅおよび６０ｆに付随して、角度３０度の菱形断面を有し、外側に４５度傾斜しているリング６０ｇ用の空間が形成されている。リング６０ｇのもう一方の脚部に対する断面は長方形で、第６のリング６０ｆの外側に位置し、外側に１５度傾斜している。リング６０ｄの上部には、１５０度の菱形断面を有するリング６０ｈ用の空間があり、６０ｈのもう一方の断面は長方形でリング６０ｄおよび外側リング６０ｆに接している。これですべての断面が満たされたことになる。ヨーク部はさらに他のヨーク部用の空間をつくるために大きく屈曲し分離している。
【００２９】
この変圧器用磁心の特性は、いくつかの変圧器への適用によってさらに改善される（図７参照）。変圧器の第１巻き線と第２巻き線の間にストリップを巻いた磁心２９を追加することによって、漏れインダクタンスは容易に増加され得る。ストリップは上部と下部で接合される。同ストリップは第１巻き線全体に広げることもでき、また一箇所にまとめて第２の巻き線を偏心することも可能である。
【００３０】
鉄の非線状な磁気特性によって磁場、電圧および電流の調波が生じる。
磁心の中心に配置された補足的な脚部には、完全に対称的かつ歪みのない三相の状態におでは磁場が生じない。電圧位相における共通要素は、第３次調波と同様に中心脚部によって作用される。
【００３１】
さらに、巻き線と中心脚部との間でストリップを組み合わせることも可能である。
１つの実施形態において、中心脚部は、ストリップを巻いた高さが幅の３倍である３つの長方形の柱８０によって形成され、互いに正方形の断面に接する状態で配置されている（図８参照）。これは好適な三角形で菱形の断面を有する柱からなる特別開発品で、３本の柱がまとまってパケットを形成し、ストリップがそれぞれの柱に波状に向かっている（図９参照）。３つのパケットは、断面が若干の距離をもって結合し、おおよそ三角形の断面を有する脚部を形成する。柱の端は外側に曲がり、ヨーク部に達する。その屈曲をつくるため柱の間の間隔子が必要となる。各パケット９１ａ−ｃ、９２ａ−ｃ、９３ａ−ｃから１つの柱がそれぞれのヨーク部に対して屈曲しているため、間隔子が磁気特性に影響を及ぼすことはない。またストリップは、少なくとも１つの面において、間隔子と平行している。
【００３２】
中心脚部とヨーク部の間に空隙があった場合、特に、螺旋状あるいはコイル状のストリップの巻き棒が有用である。ヨークに対する空隙を減ずるために螺旋の端を幅広にすることも可能である。
【００３３】
このような磁心製造における柔軟性は好適なものであり、図１０に示されている。同図は図４に関連する記述の磁心を示したものである。磁束の主要部分は、それぞれが接し合う脚部間の一つの外形リングから別のリングへと流れる。これによって三角形のヨーク部に大きな磁束の回転が生じる。
【００３４】
本発明を用いて、脚部が並列している三相変圧器の磁心を製造することも可能である。これは、デルタ型磁心を有する変圧器よりも細い変圧器に有利である。この型の変圧器は、例えば列車の車両への取り付けが望ましい。
【００３５】
図１１ａは、八角形脚部を有する変圧器の横断面を示している。すべての脚部は４つの４５度の角度を有する菱形と２つの正方形とを有する。隣接する脚部の間を通るリングは図に示されているが、外側の脚部の間を通るリングはほぼすべて隠れている。
【００３６】
この種の変圧器の磁心を作るためは、脚部は折り曲げ可能なものでなければならない。またヨーク部も折り曲げられ、互いを通すことができるものでなければならない。いくつかの開発品があるが、その中の一つが図に示されている。リングの脚部分は外側、ヨーク部は内側に、あるいはその逆の状態で折り曲げられている。ヨーク部の形状はプラスチックの可変限度によって制限されるが、その範囲内ではさまざまな形状を形成することができる。図１１に示されている原理は、急な屈曲およびまっすぐなヨーク部を有することである。
【００３７】
物質を節約するために、リングを丸く折り曲げてそれぞれを重ねて配置することも可能である。
脚部１１５および中心脚部１１６の間のヨークは、いずれも２２．５度屈曲している菱形断面を有するリング１１２ａおよび正方形の断面を有するリング１１２ｂ、および脚部において６７．５度傾斜している菱形リング１１２ｃによって形成されている。リング１１２ａおよび１１２ｂは、ヨーク部側に近い八面体に組み込まれ、１１２ｃは反対側に組み込まれている。
【００３８】
中心脚部１１６および右側脚部１１７の間のヨーク部は中心脚部の残りの箇所１１４ａ−ｃにのみ配置される。左および右の脚部１１５および１１７の断面は、中心脚部を通るリングが対称性を有するように、中心脚部１１６に対して鏡像の関係にある。内側リング１１４ａおよび１１４ｂは右側脚部１１７に最も近い位置にある。しかし、脚部において正方形断面を有するリング１１４ｃは右側の脚部の最も近い正方形断面に通じている。これは、外側脚部の間の正方形断面を有するリング１１３ａが、左側の脚部に接するようにすでに存在しているヨーク部において外側に位置しているためである。
【００３９】
ヨーク部を回転させることは不可能である。他の実施形態においては、その代わりに大きく傾斜した折り返しを用いている。これは最も短いヨーク部を有するリング１１４ｃを示すものである。折り返しは、ヨークの一端から他方の端まで続いており、図１１の１１８ａが下方のヨーク部を、１１８ｂが上方のヨーク部を表している。また、ヨーク部をいくつかの細いリングに細分することもできる。
【００４０】
断面が多角形であれば、単相変圧器がより効果的と思われる。図１２は、三相変圧器と同一の断面を有するが、その折り返しが巻き線の外側寄りに走っているリングからなる、八角形断面を有する変圧器を示している。八角形の断面を保ったまま、リングを置き換えることは可能である。例えば、図中最も右側にまきついているリングの左側でくくり上げることによってプレートの使用量を若干抑えることができる。その断面は長方形に近い菱形に変形すると思われる。
【００４１】
一つの脚部からリングを曲げてもう一つの脚部を形成させることによって、三相型変圧器から２本の脚部を有する磁心をつくることができる。磁心は図１３に示されており、脚部は八角形断面を有するものである。３本の脚部の回転は４５度、屈曲は９０である。長方形の断面を有するリング１つとその外側のリング２つは変形しない。六角形脚部を有する磁心は同一幅のストリップを巻いた３つのリングのみが必要となる。
【００４２】
３つの菱形の辺が接合する八角形の辺が磁心の最も内部に置かれた場合、中心の菱形を除いて回転はわずか２２．５度である。その中心の菱形は６７．５度回転される。この菱形を、菱形に近い段状のリングに置き換えるとより現実的で、図１４に示されている。ストリップが円状に近づくようにさらに改良が施され、それによって全体の断面も増加する。
【００４３】
多角面脚部の外側部分には、幅がその半分、高さが同じであるストリップを幅全体に巻き薄い菱形リングを形成することが可能である。図１５に示したように菱形の中央に沿ってストリップを折りたたむと、２つの側面をひとつの平らな面にして三角形が形成され、その三角形の側面は磁心に接している。幅を２／３、高さを８／９にすることによって、最も内側のストリップの端にある折り目が、図１６に示したように台形の断面を形成する。断面を丸くすることも可能である。
【００４４】
一定幅のストリップによって、図１７、１７ａおよび１７ｂが示すような円状に近い断面を有する脚部を成形することが可能である。図１７の右側脚部１７２は、図１７ａに関連する例の中で説明されており、その横断面図が示されている。最も内側にはリング１７３があり、幅は全幅の８０％、高さは全幅の９％である。図１７ａに示されるように、３つのリングが外接円に接している。
【００４５】
６つの面部分のうち４部分は磁性体となっており、組み合わされた磁心の外部ストリップが残りの部分を満たす。
リング１７４は、六角形の外側に配置され得る。
他の実施形態が図１７ｂに示されており、そこではリング１７４が幅広ストリップを巻いた別のリングに置き換えられている。
【００４６】
この工夫に富んだ変圧器磁心の利点についてすでにいくつか述べたが、そのほかの利点の中でも、無負荷損の低減、重量の軽減、容積の低減、漏電の抑制、三相変圧器の相の一致による調波の抑制、保守の簡素化は特筆すべき点である。
【００４７】
本発明に記載の変圧器の磁心の好適な実施形態は、以上述べたとおりである。本技術に精通しておれば、これらが特許請求範囲において変更されうることは理解されるものである。
【図面の簡単な説明】
【図１】  菱形および三角形の断面を有するリングからなる従来型三相変圧器の磁心の等角図。
【図１ａ】  図１に示した磁心の組立て前の横断面図。
【図１ｂ】  図１に示した磁心の組立て後の横断面図。
【図２】  脚部が六角形断面を有する本発明の三相変圧器用磁心の等角図。
【図２ａ】  図２に示した磁心の組立て前の横断面図。
【図２ｂ】  図２に示した磁心の組立て後の横断面図。
【図３ａ】  組立て前の六角形断面の脚部を有する別の三相変圧器用磁心の横断面図。
【図３ｂ】  組立て後の六角形断面の脚部を有する別の三相変圧器用磁心の横断面図。
【図４】  八角形の脚部を有する三相変圧器用磁心の等角図。
【図４ａ】  図４に示した磁心の横断面図。
【図５】  十角形の脚部を有する変圧器の断面。
【図６】  十二角形の脚部を有する変圧器の断面。
【図７】  三相変圧器において漏れインダクタンスおよび調波に影響を及ぼす配置を示す部分拡大図。
【図８】  三相変圧器において漏れインダクタンスおよび調波に影響を及ぼす配置を示す部分拡大図。
【図９】  三相変圧器において漏れインダクタンスおよび調波に影響を及ぼす配置を示す部分拡大図。
【図１０】  磁束を改善するための特殊形状のヨーク部を有する三相変圧器用磁心の横断面図。
【図１１】  脚部が並列している三相変圧器用磁心を示す斜視図。
【図１２】  本発明の単相変圧器の磁心を示す横断面図。
【図１３】  本発明の単相変圧器の磁心を示す横断面図。
【図１４】  本発明の単相変圧器の磁心を示す横断面図。
【図１５】  変圧器用磁心の断面の形にさらに改良を加えたものを示す部分拡大図。
【図１６】  変圧器用磁心の断面の形にさらに改良を加えたものを示す部分拡大図。
【図１７】  変圧器用磁心の断面の形にさらに改良を加えたものを示す部分拡大図。
【図１】
0004514954.tif 000002
【図２】
0004514954.tif 000003
【図１ａ】
0004514954.tif 000004
【図１ｂ】
0004514954.tif 000005
【図２ａ】
0004514954.tif 000006
【図２ｂ】
0004514954.tif 000007
【図３ａ】
0004514954.tif 000008
【図３ｂ】
0004514954.tif 000009
【図４】
0004514954.tif 000010
【図４ａ】
0004514954.tif 000011
【図５】
0004514954.tif 000012
【図６】
0004514954.tif 000013
【図７】
0004514954.tif 000014
【図８】
0004514954.tif 000015
【図９】
0004514954.tif 000016
【図１０】
0004514954.tif 000017
【図１２】
0004514954.tif 000018
【図１３】
0004514954.tif 000019
【図１４】
0004514954.tif 000020
【図１５】
0004514954.tif 000021
【図１６】
0004514954.tif 000022
【図１１】
0004514954.tif 000023
【図１１ａ】
0004514954.tif 000024
【図１７】
0004514954.tif 000025
【図１７ａ】
0004514954.tif 000026
【図１７ｂ】
0004514954.tif 000027